(57)【特許請求の範囲】
【請求項１】
印刷機の版胴に版板の縁部をクランプしかつ緊締するための装置（１３，１４）であって、
クランプ力および緊締力を解除する単一の作動シャフト（４１）であって、緊締力を解除する制御カム（４２）と、クランプ力を解除する第１制御ローラ（３８）と、を有する作動シャフト（４１）と、
クランプ条片（２７）と協働して版板縁部をクランプしかつ緊締するクランプフラップ（２９）であって、版板の緊締位置および収容位置に旋回可能なクランプフラップ（２９）と、
版板縁部を解放するよう前記クランプフラップ（２９）を開かせるトグルレバー機構（３２）と、
前記トグルレバー機構（３２）に枢着され、且つ第２制御ローラ（４４）を有する保持器（２８）と、
前記トグルレバー機構（３２）を所定方向（４８）に引張ることで、版板縁部を解放するよう前記クランプフラップ（２９）を開かせる引張りロッド（３６）と、
を備え、
前記作動シャフト（４１）が所定の回転方向に旋回させられたとき、第２制御ローラ（４４）は制御カム（４２）に沿って転動して前記保持器（２８）を旋回させ、前記クランプフラップ（２９）を前記緊締位置から前記収容位置に旋回させ、
前記作動シャフト（４１）が前記所定の回転方向に更に旋回させられたとき、第１制御ローラ（３８）は前記引張りロッド（３６）の切換えプレート（３７）に接触して前記引張りロッド（３６）を介して前記トグルレバー機構（３２）を前記所定方向（４８）に引張り、版板縁部を解放することを特徴とする、印刷機の版胴に版板の縁部をクランプしかつ緊締するための装置。
【請求項２】
請求項１記載の、版板の縁部をクランプしかつ緊締するための装置を有することを特徴とする印刷装置。
【請求項３】
請求項２記載の印刷装置を有することを特徴とする枚葉紙輪転印刷機。
【発明の詳細な説明】
【技術分野】
【０００１】
本発明は、印刷機の版胴に版板、特に版板の後縁部をクランプしかつ緊締するための装置であって、クランプ力および緊締力を解除するために唯一つの作動シャフトが設けられている形式のものに関する。
【背景技術】
【０００２】
ドイツ連邦共和国実用新案第９４０１７６０号明細書に基づき、印刷機の版胴に版板をクランプしかつ緊締するための装置が公知である。この場合、旋回可能なカムシャフトが設けられており、このカムシャフトは、版板の緊締解除を生ぜしめると共に、クランプの解除をも生ぜしめる。版板を緊締解除するためには、クランプレールが、カムシャフトのカムを用いてばねの力に抗して移動させられる。クランプ力を解除するためには、クランプフラップが、カムシャフトの第２のカムを用いて別のばねの力に抗して旋回される。
【特許文献１】ドイツ連邦共和国実用新案第９４０１７６０号明細書
【発明の開示】
【発明が解決しようとする課題】
【０００３】
本発明の課題は、冒頭で述べた形式の装置を改良して、大きなクランプ力を提供するためにも適しているか、もしくは大きなクランプ力を解除するために適しているような装置を提供することである。
【課題を解決するための手段】
【０００４】
この課題を解決するために本発明の構成では、作動シャフトが、緊締力を解除するための制御カムと、クランプ力を解除するための制御ローラとを有しているようにした。
【発明の効果】
【０００５】
クランプ力を生ぜしめるためのトグルレバージョイントが配置されていると特に有利である。この手段によって、小さなばね力を用いて高いクランプ力を発生させることができる。
【０００６】
別の利点としては、版板の緊締力を版板クランプ・緊締装置の旋回運動によって発生させる手段が挙げられる。この手段によって緊締過程時の当該装置のひっかかりが阻止される。
【０００７】
本発明の別の利点は請求項２以下に記載されている。
【発明を実施するための最良の形態】
【０００８】
以下に、本発明を実施するための最良の形態を図面につき詳しく説明する。
【０００９】
枚葉紙７を処理する機械、たとえば印刷機１は、給紙装置２と、少なくとも１つの印刷装置３もしくは印刷装置４と、排紙装置６とを有している。枚葉紙７は、枚葉紙パイル８から取り出されて個別化されるか、またはずれ重なり式に給紙テーブル９を介して印刷装置３，４に供給される。これらの印刷装置３，４は公知の形式で、それぞれ１つの版胴１１，１２と、これらの版胴１１，１２とそれぞれ協働するゴム胴１５，２０とを有している。各版胴１１，１２は、フレキシブルな版板を固定するためのクランプ・緊締装置１３，１４を有している。さらに各版胴１１，１２には、半自動的または全自動的な版板交換のための装置１６，１７が対応配置されている。
【００１０】
枚葉紙パイル８は、制御されて上昇可能なパイルプレート１０に載積されている。枚葉紙７の取出しは、枚葉紙パイル８の上側から、いわゆるサクションヘッド１８によって行われる。このサクションヘッド１８は、特に、枚葉紙７を個別化するための複数の第１吸１９および第２吸２１を有している。さらに上側の枚葉紙層をさばくためのブロー装置２２と、パイル追従案内のための検出エレメント２３とが設けられている。枚葉紙パイル８、特に枚葉紙パイル８の上側の枚葉紙７を整直させるためには、複数の側方および後方のストッパ２４が設けられている。
【００１１】
クランプ・緊締装置１３は、版板前縁部をクランプするための装置（図示せず）と、版板後縁部をクランプしかつ緊締するための装置２６とを有している。版板後縁部をクランプしかつ緊締するための装置２６は主として、保持器２８に取り付けられた下側のクランプ条片２７を有している。このクランプ条片２７と協働する上側のクランプフラップ２９は、クランプ条片２７に設けられた収容部３１に旋回可能に支持されている。このクランプフラップ２９は、２アーム式のトグルレバー機構３２によって、収容部３１の支承箇所を中心にして旋回可能である。トグルレバー機構３２は、保持器２８の支承箇所３３に枢着されている。トグルレバー機構３２の操作は、プレロードもしくは予荷重をかけられた圧縮ばね３４を用いて行われる。この圧縮ばね３４は保持器２８に支持されていて、トグルレバー機構３２をクランプ位置へ押圧している。同じくトグルレバー機構３２に作用する引張りロッド３６は、圧縮ばね３４の力に抗して、版板のための収容位置へトグルレバー機構３２を引っ張る。
【００１２】
引張りロッド３６は、一方の端部に切換えプレート３７を有している。この切換えプレート３７は、制御ローラ３８と作用接触している。制御ローラ３８は、ローラ付きレバー３９によって作動シャフト４１に配置されている。さらに作動シャフト４１は、制御輪郭４３を備えたカム４２を有している。制御輪郭４３は、第２の制御ローラ４４に作用接触している。第２の制御ローラ４４は保持器２８に配置されている。版胴１１に支持されたばね４６により、保持器２８は旋回軸線４７を中心にして、版板のための緊締位置へ押圧される。
【００１３】
版板の緊締を解除するためには、作動シャフト４１が反時計回り方向に旋回させられる。このときに、制御ローラ４４はカム４２の制御輪郭４３に沿って転動して、保持器２８を、旋回軸線４７を中心にして反時計回り方向に緊締位置から収容位置に旋回させる。次いで、作動シャフト４１が引き続き反時計回り方向に旋回運動させられると、制御ローラ３８が切換えプレート３７に接触して、引張りロッド３６によってトグルレバー機構３２を矢印４８の方向に押圧する。この手段によって、クランプフラップ２９が圧縮ばね３４の力に抗して開き、版板後縁部を解放する。
【図面の簡単な説明】
【００１４】
【図１】印刷機の概略的な断面図である。
【図２】版板クランプ・緊締装置の断面図である。
【図３】版板クランプ・緊締装置を斜め上から見た立体的な斜視図である。
【図４】版板クランプ・緊締装置を斜め前方から見た立体的な斜視図である。
【符号の説明】
【００１５】
１  印刷機
２  給紙装置
３  印刷装置
４  印刷装置
６  排紙装置
７  枚葉紙
８  枚葉紙パイル
９  給紙テーブル
１０  パイルプレート
１１  版胴
１２  版胴
１３，１４  クランプ・締結装置
１５，２０  ゴム胴
１８  サクションヘッド
１９  第１吸
２１  第２吸
２３  検出エレメント
２４  ストッパ
２６  版板後縁部をクランプしかつ緊締するための装置
２７  クランプ条片
２８  保持器
２９  クランプフラップ
３１  収容部
３２  トグルレバー機構
３３  支承箇所
３４  圧縮ばね
３６  引張りロッド
３７  切換えプレート
３８  制御ローラ
３９  ローラ付きレバー
４１  作動シャフト
４２  制御カム
４３  制御輪郭
４４  制御ローラ
４６  ばね
４７  旋回軸線
４８  方向矢印
【図１】
0005260217.tif 000002
【図２】
0005260217.tif 000003
【図３】
0005260217.tif 000004
【図４】
0005260217.tif 000005